(57)【要約】【課題】ヘアードライヤーにおいて、副吸風路を通過する空気の流れを円滑化して、導風ケースの出口付近に負圧領域が発生するのを解消する。以て、ファンブレードの先端付近で渦流が発生するのを防止しファン騒音を低下する。【解決手段】本体ケース１の吸込口１５側のケース内部に、ベルマウス構造の導風ケース４３を配置して、その内側および外側に主吸風路５１と副吸風路５２とを形成する。副吸風路５２は、口径が大きな入口通路５３と、口径が小さな出口通路５５と、これら両通路５３・５５を連続させる中間通路５４とで構成する。中間通路５４に、出口通路５５の側へ向かって先すぼまり状に湾曲する案内筒壁５７を備えた、ベルマウス構造の案内ケース５６を配置して、副吸風路５２における空気の流れを円滑化する。【選択図】図１
2006307772.tif 000002
【特許請求の範囲】
【請求項１】
本体ケース（１）の吸込口（１５）側のケース内部に、主吸風路（５１）を区画するベルマウス構造の導風ケース（４３）と、ファン（１７）およびモーター（１８）を支持するファンケース（１９）とが配置されており、導風ケース（４３）と本体ケース（１）との間に副吸風路（５２）が形成してある送風装置であって、
副吸風路（５２）が、それぞれ環状の通気空間からなる、口径が大きな入口通路（５３）と、口径が小さな出口通路（５５）と、これら両通路（５３・５５）を連続させる中間通路（５４）とで構成されており、
中間通路（５４）に、入口通路（５３）の側から出口通路（５５）の側へ向かって先すぼまり状に湾曲する案内筒壁（５７）を備えた、ベルマウス構造の案内ケース（５６）が配置してあることを特徴とする送風装置。
【請求項２】
本体ケース（１）が、その殆どを占める前ケース（１０）と、前ケース（１０）に装着固定される後ケース（１１）とで構成されており、
案内ケース（５６）の入口端が、後ケース（１１）で前後動不能に受け止め固定してある請求項１記載の送風装置。
【請求項３】
案内ケース（５６）の入口部分に、後ケース（１１）で受け止め固定される突起（５９）が突設してある請求項２記載の送風装置。
【請求項４】
案内ケース（５６）の入口部分に、整流翼（５９）が周方向へ一定間隔置きに形成されており、これらの整流翼（５９）が突起を兼ねている請求項３記載の送風装置。
【請求項５】
導風ケース（４３）がファン（１７）側へ向かって先すぼまり状に湾曲する収束筒壁（４４）と、収束筒壁（４４）に連続してファン（１７）側へ延びる筒口径が均一なストレート筒壁（４５）とを一体に備えており、
ストレート筒壁（４５）の出口部分がファンケース（１９）の入口部分の内面に入り込んで、ストレート筒壁（４５）とファンケース（１９）との間に副吸風路（５２）の出口通路（５５）が形成されており、
案内ケース（５６）の案内筒壁（５７）とファンケース（１７）の入口周壁とが滑らかに連続させてある請求項２または３記載の送風装置。
【請求項６】
後ケース（１１）が、前ケース（１０）に装着固定される中空筒状の第１後ケース（１１Ａ）と、第１後ケース（１１Ａ）に締結固定される中空筒状の第２後ケース（１１Ｂ）とで構成されており、
案内ケース（５６）の前後端が、第１後ケース（１１Ａ）と第２後ケース（１１Ｂ）とで挟み固定してある請求項２または３または５記載の送風装置。
【請求項７】
導風ケース（４３）が、収束筒壁（４４）に連続する周回筒壁（４６）と、第２後ケース（１１Ｂ）の筒壁と周回筒壁（４６）とを接続する放射方向のリブ（４９）を介して一体に成形してある請求項６記載の送風装置。
【発明の詳細な説明】
【技術分野】
【０００１】
本発明は、ヘアードライヤーに代表される送風装置に関し、なかでも吸込口にベルマウス構造の吸風リングが組み込んである送風装置を対象とする。
【背景技術】
【０００２】
ベルマウス構造の吸風リングを備えているヘアードライヤーは、例えば特許文献１に公知である。そこでは、吸風リングで囲まれる主吸風路とは別に、吸風リングの外面側にクランク形の副吸風路を設け、副吸風路から流入する空気流によって、吸風リングの出口付近に負圧領域が発生するのを解消している。これによりファンブレードの先端付近で渦流が発生するのを防止し、渦流に起因するファン騒音の発生を解消している。なお、副吸風路の出口付近における空気の流れの向きは、主吸風路における空気の流れの向きと一致している。
【０００３】
ベルマウス構造の吸風リングの出口側周囲に筒体を配置して、渦流に伴う騒音の発生を防止する送風装置も提案されている（特許文献２参照）。そこでは、吸風リングで加速された空気流の一部を、筒体の外面に沿って反転させ、さらに筒体と吸風リングとの間の隙間を介して環流させることにより、ファン騒音の発生を解消している。
【０００４】
【特許文献１】特開平９−１６４０１４号公報（段落番号００１４、図２）
【特許文献２】特許第２５６４８８９号公報（第２頁第４欄３４〜４５行、第３図）
【発明の開示】
【発明が解決しようとする課題】
【０００５】
特許文献１のヘアードライヤーにおいては、副吸風路から吸い込まれる空気流によって、吸風リングの出口付近に負圧領域が発生するのを阻止し、これによりファンブレードの先端付近での渦流の発生を防止し、ファン騒音の発生を解消している。しかし、副吸風路の通路断面がクランク形に形成してあるので通路抵抗が大きく、副吸風路を通過する空気の流れが必ずしも円滑ではない。そのため、副吸風路を設けることによって低下できる騒音量に限界があった。
【０００６】
本発明の目的は、副吸風路を通過する空気の流れを円滑化して、導風ケース（吸風リング）の出口付近に負圧領域が発生するのを解消し、以て、ファンブレードの先端付近で渦流が発生するのを防止しファン騒音を低下できる送風装置を提供することにある。本発明の目的は、副吸風路内を通過する空気の流を円滑化してファン騒音を低下できるうえ、ファンやモーターの回転動作に伴う機械的な振動音や、接合された部品どうしのがたつき騒音などが生じるのを解消でき、したがって、使用時の運転騒音を低下して静音化できる送風装置を提供することにある。
【課題を解決するための手段】
【０００７】
本発明の送風装置は、本体ケース１の吸込口１５側のケース内部に、主吸風路５１を区画するベルマウス構造の導風ケース４３と、ファン１７およびモーター１８を支持するファンケース１９とが配置されており、導風ケース４３と本体ケース１との間に副吸風路５２が形成してある。副吸風路５２は、それぞれ環状の通気空間からなる、口径が大きな入口通路５３と、口径が小さな出口通路５５と、これら両通路５３・５５を連続させる中間通路５４とで構成する。以て、図１に示すように、中間通路５４に、入口通路５３の側から出口通路５５の側へ向かって先すぼまり状に湾曲する案内筒壁５７を備えた、ベルマウス構造の案内ケース５６が配置してあることを特徴とする。
【０００８】
本体ケース１は、その殆どを占める前ケース１０と、前ケース１０に装着固定される後ケース１１とで構成する。案内ケース５６の入口端を、後ケース１１で前後動不能に受け止め固定する。
【０００９】
案内ケース５６の入口部分に、後ケース１１で受け止め固定される突起５９を突設する。
【００１０】
案内ケース５６の入口部分に、整流翼５９が周方向へ一定間隔置きに形成して、これらの整流翼５９が突起を兼ねるようにする。
【００１１】
導風ケース４３はファン１７側へ向かって先すぼまり状に湾曲する収束筒壁４４と、収束筒壁４４に連続してファン１７側へ延びる筒口径が均一なストレート筒壁４５とを一体に備えている。組み付け状態において、ストレート筒壁４５の出口部分はファンケース１９の入口部分の内面に入り込んで、ストレート筒壁４５とファンケース１９との間に副吸風路５２の出口通路５５を形成する。案内ケース５６の案内筒壁５７とファンケース１７の入口周壁とは滑らかに連続させる。
【００１２】
図５に示すように、後ケース１１は、前ケース１０に装着固定される中空筒状の第１後ケース１１Ａと、第１後ケース１１Ａに締結固定される中空筒状の第２後ケース１１Ｂとで構成する。案内ケース５６の前後端を、第１後ケース１１Ａと第２後ケース１１Ｂとで挟み固定する。
【００１３】
導風ケース４３は、収束筒壁４４に連続する周回筒壁４６と、第２後ケース１１Ｂの筒壁と周回筒壁４６とを接続する放射方向のリブ４９を介して一体に成形する。
【発明の効果】
【００１４】
本発明においては、本体ケース１の吸込口１５側のケース内部に、ベルマウス構造の導風ケース４３を配置して、その内側に主吸風路５１を区画し、その外側に副吸風路５２を形成した。副吸風路５２は、口径が大きな入口通路５３と、口径が小さな出口通路５５と、これら両通路５３・５５を連続させる副吸風路５２とで構成し、中間通路５４にベルマウス構造の案内ケース５６を設けて、通路内部の通気抵抗を小さくし、さらに中間通路５４を通過する空気流の変向を滑らかなものとすることにより、副吸風路５２を通過する空気の流れを円滑化できるようにした。
【００１５】
したがって本発明の送風装置によれば、副吸風路５２を介して吸い込まれる空気流によって、導風ケース４３の出口付近に負圧領域が発生するのを解消し、ファンブレードの先端付近で渦流が発生するのを防止できる。その結果、渦流の発生がない分だけファン騒音を低下し、送風装置を静音化できる。中間通路５４に案内ケース５６を設けることにより、副吸風路５２の周辺部分に余分な共鳴空間が形成されるのを阻止できる。したがって、モーター１８やファン１７などの運転騒音が副吸風路５２で共鳴することがなく、その分だけ送風装置を静音化できる。
【００１６】
前ケース１０と、前ケース１０に装着固定される後ケース１１とで本体ケース１を構成し、案内ケース５６の入口端を後ケース１１で前後動不能に受け止め固定するケース構造によれば、案内ケース５６を前後ケース１０・１１で確りと固定して、案内ケース５６が機械的な振動を受けて微振動するのを防止できる。したがって、前後ケース１０・１１と案内ケース５６との接合部分において、案内ケース５６ががたつくのを防止して、送風装置をさらに静音化できる。
【００１７】
案内ケース５６の入口部分に、後ケース１１で受け止め固定される突起５９を突設し、この突起５９を後ケース１１で受け止め固定して、案内ケース５６と後ケース１１とを前後に直接接合するケース構造によれば、案内ケースの入口部分に接合用の筒壁を設け、この筒壁を後ケース１１の筒壁で受け止める接合形態に比べて、接合用の筒壁を省略できる分だけ入口通路５３の通路幅を拡大して、副吸風路５２を通過する空気量を向上し、導風ケース４３の出口付近に負圧領域が発生するのをさらに確実に解消できる。
【００１８】
案内ケース５６の入口部分に設けた整流翼５９が先の突起を兼ねるようにしたケース構造によれば、整流翼５９副吸風路５２の入口通路５３における吸い込み空気の流れを、整流翼５９で中間通路５４へ向かって最短距離で案内できるので、副吸風路５２に吸い込まれる空気量をさらに向上できる。
【００１９】
先すぼまり状に湾曲する収束筒壁４４と、収束筒壁４４に連続するストレート筒壁４５とで導風ケース４３を構成し、ストレート筒壁４５とファンケース１９との間に出口通路５５を形成した通路構造において、案内ケース５６の案内筒壁５７とファンケース１７の入口周壁とが滑らかに連続してあると、風路全体の通気抵抗を著しく低下させて、副吸風路５２における空気の流れを円滑化し、導風ケース４３の出口付近に負圧領域が形成されるのを確実に阻止できる。
【００２０】
また、案内ケース５６とファンケース１９とが、それぞれ別部品として構成してあるので、ファン１７やモーター１８の駆動に伴なう機械的な振動がファンケース１９から案内ケース５６へと伝導するのを遮断して、副吸風路５２内で騒音が生じるのを解消できる。落下衝撃を受けて案内ケース５６が破損したような場合には、案内ケース５６のみを交換すればよく、例えば、案内ケース５６がファンケース１９と一体に形成してある場合に比べて、交換に要する費用を削減できるうえ、成形された案内ケース５６の寸法のばらつきを小さくできる。
【００２１】
第１後ケース１１Ａと、第１後ケース１１Ａに締結固定される第２後ケース１１Ｂとで後ケース１１を構成し、第１・第２の両後ケース１１Ａ・１１Ｂで案内ケース５６の前後端を挟み固定するケース構造によれば、第１・第２の両後ケース１１Ａ・１１Ｂで案内ケース５６を強固に挟持固定できるので、ファン１７やモーター１８の駆動に伴う機械的な振動音によって、両後ケース１１Ａ・１１Ｂや案内ケース５６が微振動するのを確実に防止して使用時の運転騒音を低下し静音化できる。
【００２２】
導風ケース４３と第２後ケース１１Ｂとが一体に成形してあると、ファン１７へ向かって片持ち状に延びる導風ケース４３を第２後ケース１１Ｂで確りと支さえて、導風ケース４３をファン１７に対して適正に位置保持できるので、主吸風路５１を通過する空気が導風ケース４３の出口付近の一部に偏ってから吸い込まれるのを解消し、ファン１７による送風効率を向上できる。
【発明を実施するための最良の形態】
【００２３】
（実施例１）  図１ないし図７は本発明をヘアードライヤー（送風装置）に適用した実施例を示す。図２においてヘアードライヤーは、中空筒からなる本体ケース１と、本体ケース１に対して軸２を中心にして折り畳み可能に連結されたグリップ３とを備えている。本体ケース１の内部には、乾燥風を送給する送風ユニットと、送風ユニットから送出される乾燥風を加熱するヒーターユニットと、イオン発生装置などが収容されている。符号４は本体ケース１の前端に着脱可能に圧嵌装着される吹出ノズルである。
【００２４】
グリップ３の前面には、風量と温度状態を制御する電源スイッチノブ６と、ヒーターユニットへの通電を遮断するクールボタン７と、イオン発生装置への通電状態を切り換えるスイッチノブ８が設けてある。符号６ａは電源スイッチノブ６で切り換え操作されるスイッチ、７ａはクールボタン７で切り換え操作されるスイッチ、８ａはスイッチノブ８切り換え操作されるスイッチである。
【００２５】
図１および図３において本体ケース１は、その殆どを占める前すぼまり筒状の前ケース１０と、前ケース１０の後端に係合装着される後ケース１１とで構成する。前ケース１０の下面後部と、後ケース１１の下面前部には、グリップ３を接続するための連結片１２が、それぞれ下向きに突設してある。前ケース１０の前端の吹出口は吹出グリル１３で覆われ、後ケース１１の後端の吸込口１５は、吸込グリル１４で覆われている。
【００２６】
送風ユニットは、軸流式のファン１７と、ファン１７を回転駆動するモーター１８と、これら両者１７・１８を収容する円筒状のファンケース１９などで構成してある。ファンケース１９の内面中央部分にはモーターホルダー２０が一体に形成してあり、モーターホルダー２０とファンケース１９の周壁との間に整流翼が形成してある。ファンケース１９の筒壁外面には、前ケース１０、および後ケース１１で挟持固定されるフランジ壁２１が張り出してある。
【００２７】
ヒーターユニットは、前すぼまり円筒状の遮熱筒２３と、遮熱筒２３の内部において十文字状に組まれる絶縁枠２４と、絶縁枠２４のまわりに螺旋状に巻き付けられるヒーター２５などで構成する。ヒーターユニットは、送風ユニットと共に前ケース１０に組み込まれる。
【００２８】
各絶縁枠２４の前部中央はコ字状にくり抜かれており、このくり抜き部分にイオン発生装置が配置してある。図１においてイオン発生装置は、耐熱プラスチック製の円筒状の断熱ケース２７と、断熱ケース２７内に収容されるユニット部品化された放電電流調整器と、放電部とを含む。放電電流調整器は、整流回路およびパルス発生回路などの回路構成部品と、トランスなどを断熱ケース２７内に封入して形成してあり、先のくり抜き部分の前方に装填される。放電部は、電極ホルダー２８に固定した針状の放電電極２９と、放電電極２９の周囲を囲むリング状の対向電極３０と、両電極２９・３０の間を絶縁する誘電筒３１とを含む。放電部の前方には、吹出グリル１３と、プラスチック製の防護枠３２が配置してある。
【００２９】
前ケース１０にヒーターユニットとファンユニットを装填した後、後ケース１１を前ケース１０に係合装着することにより、前後ケース１０・１１とファンケース１９との三者を、ぐらつきやがたつきのない状態で強固に連結固定できる。そのために、前後ケース１０・１１の接合部分に係合構造を設けて、両ケース１０・１１を分離不能に連結固定し、同時にファンケース１９を挟持固定する。
【００３０】
詳しくは、図３に示すように、前ケース１０の後端に後ケース１１を外嵌装着するための接合筒壁３５を後向きに突設し、接合筒壁３５の上部周面の中央と、筒壁の左右周面との３個所に係合爪３６を形成している。さらに、後ケース１１の内面前部に、接合筒壁３５に外嵌する接合穴３７を形成し、各係合爪３６と対応する穴内面に係合凹部３８を凹み形成している。３個ずつ設けた係合爪３６と係合凹部３８とで先の係合構造を構成している。
【００３１】
図４および図５において後ケース１１は、前ケース１０に装着固定される中空筒状の第１後ケース１１Ａと、第１後ケース１１Ａに締結固定される中空筒状の第２後ケース１１Ｂとで構成する。第１後ケース１１Ａは、前後面が開口するリング状の筒壁と連結片１２とを一体に備えており、この筒壁の内面に先の接合穴３７と、係合凹部３８と、半円円弧状の挟持壁３９とが形成され、筒壁の内面３個所に第２後ケース１１Ｂを締結するためのボス４０が等間隔置きに形成してある（図４参照）。第１後ケース１１Ａを前ケース１０に係合装着した状態においては、図１に示すように前ケース１０の接合筒壁３５と第１後ケース１１Ａの挟持壁３９とが協同して、ファンケース１９のフランジ壁２１を前後に挟持固定する。
【００３２】
第２後ケース１１Ｂは第１後ケース１１Ａに連続する筒壁を有し、その内面にベルマウス構造の導風ケース４３が一体に形成してある。導風ケース４３は、ファン１７側へ向かって先すぼまり状に湾曲する収束筒壁４４と、収束筒壁４４に連続してファン１７側へ延びる筒口径が均一なストレート筒壁４５と、収束筒壁４５の入口端に連続する周回筒壁４６とからなる。周回筒壁４６の後面側には、吸込グリル１４を組み付けるためのグリル溝４７が形成され、周回筒壁４６の前面側４箇所には、先のボス４０に対応するねじボス４８が形成してある。
【００３３】
第２後ケース１１Ｂの筒壁と、導風ケース４４の周回筒壁４７とは、環状の通気空間を介して内外に対向しているが、図７に示すようにこれら両者は一群の放射方向のリブ４９を介して繋がっており、したがって、導風ケース４４を構成する各部材と第２後ケース１１Ｂとを一体成形することができる。リブ４９の一群は周方向へ等間隔置きに形成してある。先の環状の通気空間が、後述する副吸風路５２の入口通路５３として機能する。
【００３４】
吸込グリル１４は、断面円形の筒周壁１４ａと、部分球面状の通気自在なグリル主壁１４ｂと、筒周壁１４ａの周方向４箇所に設けられる掛止脚片１４ｃとを一体に形成したプレス成形品からなり、筒周壁１４ａを上記のグリル溝４７に差し込んだ状態で、掛止脚片１４ｃを内向きに折曲げることにより、第２後ケース１１Ｂに掛止固定される。吸込グリル１４はアルミニウム板、薄鋼板、ステンレス薄板等の金属板材を素材にして形成してある。
【００３５】
前ケース１０、および後ケース１１と、ファンケース１９の三者を組み付けた状態において、導風ケース４４の内面側に主吸風路５１が区画され、導風ケース４４の外面側に副吸風路５２が形成される。副吸風路５２は口径が大きな入口通路５３と、入口通路５３より口径が小さな出口通路５５と、これら両通路５３・５５を滑らかに連続する中間通路５４とで構成する。詳しくは、図１に示すように、第２後ケース１１Ｂの筒壁と導風ケース４４の周回筒壁４７との間に入口通路５３が形成され、導風ケース４４のストレート筒壁４５と、ストレート筒壁４５の出口外面を覆うファンケース１９の入口筒壁との間に出口通路５５が形成される。
【００３６】
中間通路５４は、第２後ケース１１Ｂの筒壁と導風ケース４４との間に形成するが、通路の外側にベルマウス構造の案内ケース５６を配置して、副吸風路５２における空気の流れを円滑化する点に本発明の特長がある。
【００３７】
案内ケース５６は、入口通路５３の側から出口通路５５の側へ向かって先すぼまり状に湾曲する案内筒壁５７と、案内筒壁５７の出口端（小径端）に連続して前方へ突設される連結筒壁５８とを一体に成形して構成してある。案内筒壁５７の入口部分（大径端）の周方向には、放射方向の整流翼（突起）５９が周方向へ一定間隔置きに形成してある。これらの整流翼５９は、後ケースで前後動不能に受け止め固定される突起を兼ねている。
【００３８】
後ケース１１は以下のようにして組み立てる。まず、第２後ケース１１Ｂに吸込グリル１４を組み付ける。次に、第１後ケース１１Ａの内面に案内ケース５６を組み込み、その連結筒壁５８の前端を第１後ケース１１Ａの挟持壁３９に接当させる。この状態で、図６に示すように、第２後ケース１１Ｂを第１後ケース１１Ａに接合して、ボス４０とねじボス４８の中心位置を合致させ、ボス４０に挿通したビス６１をねじボス４８にねじ込むことにより、両後ケース１１Ａ・１１Ｂを締結固定する。なお、第１後ケース１１Ａに組み付けた案内ケース５６は、第２後ケース１１Ｂに設けた３個のねじボス４８によって回り止めされる。
【００３９】
両後ケース１１Ａ・１１Ｂを一体化した状態では、図１に示すように、案内ケース５６の連結筒壁５８の前端と、整流翼５９の後突端とが、第１後ケース１１Ａの挟持壁３９と、第２後ケース１１Ｂの周回筒壁４６とで挟持固定される。したがって、案内ケース５６は前後動不能に挟み固定される。
【００４０】
得られた後ケース１１の組立体を、ヒーターユニットやファンユニットなどが装填された前ケース１０に組み付ける。第１後ケース１１Ａの接合穴３７を、前ケース１０の接合筒壁３５に後方から差し込んで、第１後ケース１１Ａの係合凹部３８に、前ケース１０の係合爪３６を落とし込み係合させる。このように前後ケース１０・１１を組み付けた状態においては、ファンケース１９のフランジ壁２１が両ケース１０・１１で挟持固定される。また、導風ケース４３のストレート筒壁４５がファンケース１９の後部内面に入り込んで、両者１９・４５の間に副吸風路５２の出口通路５５が形成される。案内ケース５６の連結筒壁５８はファンケース１９の後部外面に外嵌して、案内筒壁５７の内面壁をファンケース１９の内面壁に滑らかに連続させる。
【００４１】
上記のように、副吸風路５２にベルマウス構造の案内ケース５６を設け、さらに案内筒壁５７をファンケース１９に滑らかに連続させることにより、風路全体の通気抵抗を著しく低下させて、副吸風路５２における空気の流れを円滑化し、導風ケース４３の出口付近に負圧領域が形成されるのを確実に阻止できる。また、ビス６１で締結固定される第１・第２の両後ケース１１Ａ・１１Ｂで案内ケース５６を強固に挟持固定できるので、ファン１７やモーター１８の駆動に伴う機械的な振動音によって、両後ケース１１Ａ・１１Ｂや案内ケース５６が微振動するのを確実に防止して静音化できる。
【００４２】
使用状態において、ファン１７で吸い込まれる空気の殆どは、導風ケース４３の内面に案内されながら加速され、ファンブレードで捻られ、整流翼で整流されてケース前方へと送給される。通常、ファンブレードの先端付近においては、空気の流れとは逆向きに反転する渦流が生じる。渦流が発生するのは、導風ケース４３で案内された加速空気により、ストレート筒壁４５の前方周辺部分が負圧となり、ファンブレードの先端付近の空気が負圧領域へ向かって後方へ流れるのが要因である。
【００４３】
しかし、先に説明したように、導風ケース４３の内面に沿う主吸風路５１とは別に、副吸風路５２が設けてあると、入口通路５３から吸い込まれた空気が、ストレート筒壁４５の前方周辺部分に向かって流れ込むので、先のような負圧領域の発生を解消できる。したがって、渦流に起因するファン騒音を抑止できることとなる。なお、この実施例のヘアードライヤーは、クランク構造の副吸風路を備えた従来のヘアードライヤーに比べて、騒音量を１〜２デシベル低下できた。
【００４４】
図８は、後ケース１１を１個の部品で構成し、さらに案内ケース５６をファンケース１９と一体に形成する点が先の実施例と大きく異なる。後ケース１１は、前ケース１０の後端外面に外嵌装着し、後ケース１１の外面からビス６２を前ケース１０にねじ込むことにより、両ケース１０・１１を締結固定する。この固定状態において、ファンケース１９のフランジ壁２１は、その前面に設けた溝６３が前ケース１０の後端に設けた周回壁６４に外嵌して径方向に位置決めされ、さらに、案内ケース５６の後端が、後ケース１１の内面に設けた段部６５で受け止められて、前後方向への遊動が規制される。この実施例における案内ケース５６の後端部分は、先の実施例における突起５９と同様に作用する。他は先の実施例と同じであるので、同じ部材に同じ符号を付して、その説明を省略する。
【００４５】
上記の実施例以外に、導風ケース４３は後ケース１１、あるいは第２後ケース１１Ｂとは別の部品として形成することができる。本発明はヘアードライヤー以外に、洗面所用のハンドドライヤー、足用のドライヤー、ボディドライヤー、ペット用ドライヤーなどの各種の温風乾燥装置に広く適用できる。
【図面の簡単な説明】
【００４６】
【図１】ヘアードライヤーの縦断側面図である。
【図２】ヘアードライヤーの側面図である。
【図３】本体ケースの分解側面図である。
【図４】前後ケースの構造を示す分解斜視図である。
【図５】後ケースの構造を示す分解断面図である。
【図６】図７におけるＢ−Ｂ線断面図である。
【図７】図１におけるＡ−Ａ線断面図である。
【図８】ケース構造の変形例を示す断面図である。
【符号の説明】
【００４７】
１  本体ケース
１０  前ケース
１１  後ケース
１１Ａ  第１後ケース
１１Ｂ  第２後ケース
１７  ファン
１８  モーター
１０  ファンケース
４３  導風ケース
５１  主吸風路
５２  副吸風路
５３  入口通路
５４  中間通路
５５  出口通路
５６  案内ケース
５７  案内筒壁
【図１】
2006307772.tif 000003
【図２】
2006307772.tif 000004
【図３】
2006307772.tif 000005
【図４】
2006307772.tif 000006
【図５】
2006307772.tif 000007
【図６】
2006307772.tif 000008
【図７】
2006307772.tif 000009
【図８】
2006307772.tif 000010